(57)【要約】【課題】縦クロストークの対策のために電圧Ｖｐｂのプリチャージ信号ＰＳＩＧをデータラインに供給するプリチャージ動作を行う構成を採る場合において、プリチャージ期間の短縮化を可能にする。【解決手段】データラインへの映像信号ＶＳＩＧの供給に先立って、縦クロストークの対策のための電圧Ｖｐｂのプリチャージ信号ＰＳＩＧをデータラインに供給した後、データラインの電位を映像信号ＶＳＩＧの信号電位の近傍の中間調電位Ｖｐｇｈ，Ｖｐｇｌへ戻すことでプリチャージ動作を完結させる構成を採る液晶表示装置において、電圧Ｖｐｂのプリチャージ信号ＰＳＩＧを、コモン電位ＶＶＣよりも低い映像信号ＶＳＩＧを書き込むＬｏｗ側フィールド期間のみデータラインへ供給するようにする。【選択図】図２
2009092787.tif 000002
【特許請求の範囲】
【請求項１】
画素が行列状に配置され、行列状の画素配置に対して列ごとにデータラインが配線された画素アレイ部を有し、前記データラインを通して前記画素に書き込む映像信号の極性がコモン電位を基準にしてフィールド周期で反転する表示装置であって、
前記データラインへの前記映像信号の供給に先立って、前記コモン電位よりも高い映像信号を書き込む第１フィールドでは、中間調電位の第１プリチャージ信号を前記データラインへ供給し、前記コモン電位よりも低い映像信号を書き込む第２フィールドでは、前記コモン電位よりも低い映像信号の最大値の近傍の電位の第２プリチャージ信号を、次いで前記第１プリチャージ信号を順に前記データラインへ供給する
ことを特徴とする表示装置。
【請求項２】
前記データラインへの前記映像信号の供給に先立つ水平ブランキング期間に前記第１，第２プリチャージ信号を前記データラインへ供給する
ことを特徴とする請求項１記載の表示装置。
【請求項３】
前記第２プリチャージ信号は、前記コモン電位よりも低い映像信号の最大値よりも低い
ことを特徴とする請求項１記載の表示装置。
【請求項４】
画素が行列状に配置され、行列状の画素配置に対して列ごとにデータラインが配線された画素アレイ部を有し、前記データラインを通して前記画素に書き込む映像信号の極性がコモン電位を基準にしてフィールド周期で反転する表示装置の駆動方法であって、
前記データラインへの前記映像信号の供給に先立って、前記コモン電位よりも高い映像信号を書き込む第１フィールドでは、中間調電位の第１プリチャージ信号を前記データラインへ供給し、前記コモン電位よりも低い映像信号を書き込む第２フィールドでは、前記コモン電位よりも低い映像信号の最大値の近傍の電位の第２プリチャージ信号を、次いで前記第１プリチャージ信号を順に前記データラインへ供給する
ことを特徴とする表示装置の駆動方法。
【請求項５】
画素が行列状に配置され、行列状の画素配置に対して列ごとにデータラインが配線された画素アレイ部を有し、前記データラインを通して前記画素に書き込む映像信号の極性がコモン電位を基準にしてフィールド周期で反転する表示装置を有し、
前記データラインへの前記映像信号の供給に先立って、前記コモン電位よりも高い映像信号を書き込む第１フィールドでは、中間調電位の第１プリチャージ信号を前記データラインへ供給し、前記コモン電位よりも低い映像信号を書き込む第２フィールドでは、前記コモン電位よりも低い映像信号の最大値の近傍の電位の第２プリチャージ信号を、次いで前記第１プリチャージ信号を順に前記データラインへ供給する
ことを特徴とする電子機器。
【発明の詳細な説明】
【技術分野】
【０００１】
本発明は、表示装置、表示装置の駆動方法および電子機器に関する。
【背景技術】
【０００２】
画素が行列状に配置された表示装置、例えば液晶表示装置では、一般的に、液晶に同極性の直流電圧が印加され続けることによって液晶の比抵抗（物質固有の抵抗値）等が劣化するのを防止するために、コモン電位(シグナルセンター)を基準にして映像信号の極性をある一定の周期で反転させる交流駆動方式が採られている。
【０００３】
交流駆動方式のうち、１Ｆ（１Ｆは１フィールド期間）周期で映像信号の極性を反転させるフィールド反転駆動方式を採るアクティブマトリクス型液晶表示装置の場合、画素のスイッチング素子である画素トランジスタのリーク電流に起因して発生する縦クロストークによって表示品位が低下するという問題がある。
【０００４】
画素トランジスタの特性上、画素がデータラインの電位よりも高い電位を保持しているときにリーク電流が大きくなる。また、画素トランジスタのリーク電流は、表示する映像によって異なってくる。
【０００５】
例えば、図１０に示すように、灰色を背景として黒色のウインドウ（黒色領域）２０１の表示を行う場合を例に採ると、同じ灰色を表示する領域の画素であっても、黒色領域２０１の左右に位置する背景領域２０２のデータラインＡに接続されている画素Ａ１，Ａ２と、黒色領域２０１に配線されているデータラインＢに接続されている画素Ｂ１，Ｂ２とで画素トランジスタのリーク量が異なる。
【０００６】
これにより、黒色領域２０１の左右に位置する背景領域２０２の画素Ａ１，Ａ２と、黒色領域２０１の上下に位置する灰色領域２０３，２０４の画素Ｂ１，Ｂ２とで液晶への印加電圧が異なるために、背景領域２０２の本来の灰色に対して、黒色領域２０１の上下に位置する灰色領域２０３，２０４の灰色の明るさに差が生じ、この明るさの差が縦クロストークとして視認されることになる。
【０００７】
しかも、黒色領域２０１の上方の灰色領域２０３で背景領域２０２の本来の灰色よりも暗い縦クロストークとして視認され、黒色領域２０１の下方の灰色領域２０４で背景領域２０２の本来の灰色よりも明るい縦クロストークとして視認される。その理由は次の通りである。
【０００８】
画素に対してあるフィールドでは正極性（または、負極性）で映像信号の書き込みを行い、次のフィールドでは負極性（または、正極性）で映像信号の書き込みを行うとしたとき、黒色領域２０１の書き込みを行う段階で、その書き込み行の極性と書き込みが終わった黒色領域２０１の上方の灰色領域２０３の極性とは同じ負極性（または、正極性）であるのに対して、これから書き込む黒色領域２０２の下方の灰色領域２０４の極性は前フィールドの正極性（または、負極性）のままである。
【０００９】
このように、黒色領域２０１に書き込もうとする電位に対して、画素が保持している電位の極性が、黒色領域２０１の上方の灰色領域２０３と下方の灰色領域２０４とで異なることにより、上方の灰色領域２０３と下方の灰色領域２０４とで画素トランジスタのリーク量に差が出るために、黒色領域２０１の上方の灰色領域２０３では本来の灰色よりも暗く表示され、黒色領域２０１の下方の灰色領域２０４で本来の灰色よりも明るく表示されることになる。
【００１０】
この縦クロストークの問題を解消するために、従来技術では、水平ブランキング期間に画素トランジスタのリーク電流が大きくなるような低い電圧のプリチャージ信号をデータラインに供給することにより、各データライン間で画素のリーク量を均一化し、表示する映像によって画素電位が不均一になるのを回避するようにしている（例えば、特許文献１参照）。
【００１１】
具体的には、図１１のタイミング波形図に示すように、画素トランジスタのリーク電流が大きくなるような低い電圧Ｖｐｂのプリチャージ信号ＰＳＩＧをプリチャージ制御パルスＰＣＧの発生タイミングでデータラインに書き込むようにしている。図１２に、図１０のデータラインＡ，Ｂの各電位と画素Ａ１，Ａ２，Ｂ１，Ｂ２の各電位を示している。図１１および図１２では、簡単のために、画素行を３行とし、３行に対応した３Ｈ（Ｈは水平期間）期間のタイミング関係を示している。
【００１２】
プリチャージ信号ＰＳＩＧの電圧Ｖｐｂは、コモン電位ＶＶＣよりも低いＬｏｗ側の映像信号ＶＳＩＧの最大値Ｖｖｂｌの近傍、好ましくは最大値Ｖｖｂｌよりも低い。この電圧Ｖｐｂのプリチャージ信号ＰＳＩＧを、コモン電位ＶＶＣよりも高いＨｉｇｈ側映像信号ＶＳＩＧを書き込む期間（Ｈｉｇｈ側フィールド期間）、コモン電位ＶＶＣよりも低いＬｏｗ側映像信号ＶＳＩＧを書き込む期間（Ｌｏｗ側フィールド期間）共にデータラインに供給する。
【００１３】
ここで、データラインの電位を画素トランジスタにリークを生じさせる電位Ｖｐｂのままにしておくと、その後にデータラインに書き込む映像信号ＶＳＩＧの電位との電位差が大きいため、データラインに映像信号ＶＳＩＧを供給する回路系への負担が大きくなるとともに、データラインの充放電不足が発生する。その結果、データラインごとに保持電位が不均一になる可能性がある。そして、これがすじ状のノイズとなって画質不良を招く。
【００１４】
この画素トランジスタのリークに起因する画質不良を回避するために、上記の従来技術では、図１１のタイミング波形図から明らかなように、電圧Ｖｐｂのプリチャージ信号ＰＳＩＧをデータラインに供給した後、データラインの電位を映像信号ＶＳＩＧの信号電位の近傍の中間調電位Ｖｐｇｈ，Ｖｐｇｌへ戻すことでプリチャージ動作を完結させるようにしている。
【００１５】
【特許文献１】特開２００６−２５９２２４号公報
【発明の開示】
【発明が解決しようとする課題】
【００１６】
しかしながら、上記の従来技術では、電圧Ｖｐｂのプリチャージ信号ＰＳＩＧをデータラインに供給した後、データラインの電位を映像信号ＶＳＩＧの信号電位の近傍の中間調電位Ｖｐｇｈ，Ｖｐｇｌへ戻すようにしており、電圧Ｖｐｂと電位Ｖｐｇｈの電位差が例えば８Ｖ程度と大きいために、データラインの電位をＶｐｂからＶｐｇｈに戻す際のデータラインの充電に時間を要する。
【００１７】
一方で、近年の高解像度化、高リフレッシュ・レート化により水平ブランキング期間が短くなる傾向にあり、プリチャージ動作を行うプリチャージ期間に割り当てられる時間がますます短くなってきているのが現状である。したがって、プリチャージ期間の短縮化が望まれている。
【００１８】
そこで、本発明は、縦クロストークの対策のためにコモン電位ＶＶＣよりも低いＬｏｗ側の映像信号ＶＳＩＧの最大値Ｖｖｇｌよりも低い電圧Ｖｐｂのプリチャージ信号ＰＳＩＧをデータラインに供給するプリチャージ動作を行う構成を採る場合において、プリチャージ期間の短縮化を可能とした表示装置、表示装置の駆動方法および電子機器を提供することを目的とする。
【課題を解決するための手段】
【００１９】
上記目的を達成するために、本発明は、画素が行列状に配置され、行列状の画素配置に対して列ごとにデータラインが配線された画素アレイ部を有し、前記データラインを通して前記画素に書き込む映像信号の極性がコモン電位を基準にしてフィールド周期で反転する表示装置において、前記データラインへの前記映像信号の供給に先立って、前記コモン電位よりも高い映像信号を書き込む第１フィールドでは、中間調電位の第１プリチャージ信号を前記データラインへ供給し、前記コモン電位よりも低い映像信号を書き込む第２フィールドでは、前記コモン電位よりも低い映像信号の最大値の近傍の電位の第２プリチャージ信号を、次いで前記第１プリチャージ信号を順に前記データラインへ供給することを特徴としている。
【００２０】
プリチャージ機能を持つフィールド反転駆動方式の表示装置および当該表示装置を有する電子機器において、画素のスイッチング素子である画素トランジスタは、その特性上、画素がデータラインの電位よりも高い電位を保持しているときにリーク電流が大きくなることから、データラインへの映像信号の供給に先立ってプリチャージ信号を供給するプリチャージ動作において、コモン電位よりも高い映像信号を書き込む第１フィールドでは、中間調電位の第１プリチャージ信号だけをデータラインへ供給することで、データラインにおける第２プリチャージ信号の電位（コモン電位よりも低い映像信号の最大値の近傍の電位）から中間調電位へ、という高い電位変化がなくなるために、データラインの充電に要する時間が短くて済む。
【発明の効果】
【００２１】
本発明によれば、コモン電位よりも高い映像信号を書き込む第１フィールドでは、データラインにおける高い電位変化がなくなることにより、データラインの充電に要する時間が短くて済むために、プリチャージ動作を行うプリチャージ期間を短縮できるとともに、データラインに映像信号を供給する回路系の負担を軽減できる。
【発明を実施するための最良の形態】
【００２２】
以下、本発明の実施の形態について図面を参照して詳細に説明する。
【００２３】
［システム構成］
図１は、本発明の一実施形態に係る表示装置を示すシステム構成図である。ここでは、液晶表示装置、特にフィールド反転駆動方式のアクティブマトリクス型液晶表示装置に適用した場合を例に挙げて説明するものとする。
【００２４】
ここで、液晶表示装置は、少なくとも一方が透明な２枚の基板（図示せず）が対向して配置され、これら２枚の基板間に液晶材料が封入されて液晶層を形成したパネル構造となっている。
【００２５】
図１に示すように、本実施形態に係るフィールド反転駆動方式のアクティブマトリクス型液晶表示装置１０は、画素２０が行列状に２次元配置された画素アレイ部３０と、垂直駆動回路４０と、水平駆動回路５０と、プリチャージ回路６０とを有するシステム構成となっている。
【００２６】
この液晶表示装置１０において、画素アレイ部３０には行列状の画素配置に対して行ごとにゲートライン（走査ライン）３１−１，３１−２，…が配線され、列ごとにデータライン（信号ライン）３２−１，３２−２，…が配線されている。そして、ゲートライン３１−１，３１−２，…とデータライン３２−１，３２−２，…との交差点部分に画素２０が配置されている。
【００２７】
実際には、画素２０は数十万〜数百万個配置されるわけであるが、ここでは、簡単のために、画素配列を３行３列の計９個の画素配置としている。
【００２８】
（画素構成）
画素２０は、例えば薄膜トランジスタ(Thin Film Transistor;ＴＦＴ)からなる画素トランジスタ２１と液晶容量２２と保持容量２３とを有する構成となっている。画素トランジスタ２１は、ゲート電極がゲートライン３１−１，３１−２，３１−３に接続され、ソース電極がデータライン３２−１，３２−２，３２−３に接続されている。
【００２９】
液晶容量２２は、画素電極とこれに対向して形成される対向電極との間で発生する液晶材料の容量成分を意味し、画素電極が画素トランジスタ２１のドレイン電極に接続されている。液晶容量２２の対向電極には、直流電圧のコモン電位ＶＶＣが全画素共通に印加される。保持容量２３は、一方の電極が液晶容量２２の画素電極に、他方の電極が液晶容量２２の対向電極にそれぞれ接続されている。
【００３０】
上記構成の画素２０において、画素トランジスタ２１は、垂直駆動回路４０による垂直走査によって行単位でオン状態となり、水平駆動回路５０からデータライン３２−１，３２−２，３２−３を通して供給される映像信号ＶＳＩＧを画素３０内に取り込む。この取り込まれた映像信号ＶＳＩＧの信号電圧は、液晶容量２２に印加されるとともに、保持容量２３に保持される。保持容量２３は、同じ画素の画素トランジスタ２１が次にオン状態になるまでの期間に亘ってその電位を保持する。
【００３１】
（垂直駆動回路）
垂直駆動回路４０は、例えば、画素アレイ部３０の行数（本例では、３行）に対応した段数のシフトレジスタや出力回路などによって構成され、各出力端から走査パルスを順次出力する。垂直駆動回路４０の各出力端には、ゲートライン３１−１，３１−２，３１−３の各一端がそれぞれ接続されている。
【００３２】
垂直駆動回路４０は、各出力端から順次走査パルスを出力することにより、ゲートライン３１−１，３１−２，３１−３を通して画素アレイ部３０の各画素２０を時分割で１行ずつ走査しつつ選択する。
【００３３】
そして、垂直駆動回路４０は、走査パルスによって画素トランジスタ２１をオン状態にすることにより、水平駆動回路５０からデータライン３２−１，３２−２，３２−３を通して供給される映像信号ＶＳＩＧを選択行の各画素２０に書き込む。
【００３４】
（水平駆動回路）
水平駆動回路５０は、例えば、画素アレイ部３０の列数（本例では、３列）に対応した段数のシフトレジスタ５１とアナログスイッチ（以下、「水平スイッチ」と記述する）ＨＳＷ１〜ＨＳＷ３を有する構成となっている。
【００３５】
シフトレジスタ５１は、各シフト段（シフトレジスタ５１の単位回路）から順次スイッチ制御パルス（サンプルホールドパルス）ＳＨＰ１〜ＳＨＰ３を出力する。水平スイッチＨＳＷ１〜ＨＳＷ３は、シフトレジスタ５１から順次出力されるスイッチ制御パルスＳＨＰ１〜ＳＨＰ３によって駆動されることにより、垂直駆動回路４０によって選択された行の各画素２０に対して、映像信号供給ライン５２を通して供給される映像信号ＶＳＩＧを、１ライン（１行）ごともしくは複数ラインごとにデータライン３２−１，３２−２，３２−３を通して一水平期間中に例えば点順次にて出力する。
【００３６】
水平スイッチＨＳＷ１〜ＨＳＷ３は、ＮチャネルＭＯＳトランジスタとＰチャネルＭＯＳトランジスタが並列に接続されたＣＭＯＳトランスミッションゲートからなる構成となっている。水平スイッチＨＳＷ１〜ＨＳＷ３のスイッチ素子については、ＣＭＯＳトランスミッションゲートに限られるものではなく、単体のトランジスタを用いて構成することも可能である。
【００３７】
（プリチャージ回路）
プリチャージ回路６０は、データライン３２−１，３２−２，３２−３に対応して設けられたアナログスイッチ（以下、「プリチャージスイッチ」と記述する）ＰＳＷ１〜ＰＳＷ３によって構成され、水平駆動回路５０によるデータライン３２−１，３２−２，３２−３への映像信号ＶＳＩＧの供給（書き込み）に先立って、映像信号ＶＳＩＧの書き込み期間以外の期間、例えば水平ブランキング期間においてプリチャージ制御パルスＰＣＧによる制御によって所定レベルのプリチャージ信号ＰＳＩＧをデータライン３２−１，３２−２，３２−３に供給する（書き込む）。
【００３８】
プリチャージ回路６０によるプリチャージ動作は次の目的で行われる。すなわち、先述したように、画素トランジスタ２１のリークに起因して発生する縦クロストークの不具合を解消するためと、水平駆動回路５０の負担を軽減しつつデータライン３２−１，３２−２，３２−３の充放電不足に起因して発生するすじ状の画質不良を回避するためにプリチャージ動作が実行される。
【００３９】
これら２つの目的に対応して、プリチャージ信号ＰＳＩＧは２つの値（電圧）を選択的にとる。具体的には、プリチャージ信号ＰＳＩＧは、縦クロストークの対策のためのコモン電位ＶＶＣよりも低い映像信号ＶＳＩＧの最大値Ｖｖｂｌの近傍、好ましくは最大値Ｖｖｂｌよりも低い電圧Ｖｐｂと、水平駆動回路５０の負担軽減およびすじ状の画質不良対策のための映像信号ＶＳＩＧの信号電位の近傍の中間調電位Ｖｐｇｈ，Ｖｐｇｌとを選択的にとる。
【００４０】
［本実施形態の特徴部分］
上記構成のプリチャージ機能を持つフィールド反転駆動方式のアクティブマトリクス型液晶表示装置１０において、画素トランジスタ２１は、その特性上、画素２０がデータライン３２−１，３２−２，３２−３の電位よりも高い電位を画素容量２３に保持しているとき、さらに画素トランジスタ２１のドレイン−ソース間の電位差が大きいときにリーク電流が大きくなることが知られている。
【００４１】
このことから、水平駆動回路５０からデータライン３２−１，３２−２，３２−３に対してコモン電位ＶＶＣよりも低い映像信号ＶＳＩＧを書き込むＬｏｗ側フィールド期間に比べて、コモン電位ＶＶＣよりも高い映像信号ＶＳＩＧを書き込むＨｉｇｈ側フィールド期間の方が、画素トランジスタ２１のドレイン−ソース間の電位差が小さいために、Ｌｏｗ側フィールド期間でのリーク量よりもＨｉｇｈ側フィールド期間でのリーク量が非常に小さいことがわかる。この点に着目して為されたのが本発明である。
【００４２】
すなわち、本発明は、水平駆動回路５０からデータライン３２−１，３２−２，３２−３への映像信号ＶＳＩＧの供給に先立って、縦クロストークの対策のための電圧Ｖｐｂのプリチャージ信号ＰＳＩＧをデータライン３２−１，３２−２，３２−３に供給した後、データライン３２−１，３２−２，３２−３の電位を映像信号ＶＳＩＧの信号電位の近傍の中間調電位Ｖｐｇｈ，Ｖｐｇｌへ戻すことでプリチャージ動作を完結させる構成を採る液晶表示装置１０において、電圧Ｖｐｂのプリチャージ信号ＰＳＩＧを、コモン電位ＶＶＣよりも低い映像信号ＶＳＩＧを書き込むＬｏｗ側フィールド期間のみデータライン３２−１，３２−２，３２−３へ供給することを特徴としている。
【００４３】
なお、本実施形態に係る液晶表示装置１０においては、データライン３２−１，３２−２，３２−３に映像信号ＶＳＩＧを供給する水平駆動回路５０とは別に設けられたプリチャージ回路６０からデータライン３２−１，３２−２，３２−３に対してプリチャージ信号ＰＳＩＧを供給する構成を採っているが、データライン３２−１，３２−２，３２−３へのプリチャージ信号ＰＳＩＧの供給形態としてはこれに限られるものではない。
【００４４】
例えば、水平駆動回路５０側にプリチャージ用のアナログスイッチを設けて、水平駆動回路５０による映像信号ＶＳＩＧの供給に先立って、プリチャージ用のアナログスイッチを介して選択的にプリチャージ信号ＰＳＩＧを供給する構成や、映像信号ＶＳＩＧの例えば水平ブランキング期間にプリチャージ信号ＰＳＩＧを重畳して水平スイッチＨＳＷ１〜ＨＳＷ３を介して選択的にプリチャージ信号ＰＳＩＧを供給する構成なども、データライン３２−１，３２−２，３２−３へのプリチャージ信号ＰＳＩＧの供給形態として採ることも可能である。
【００４５】
（本実施形態に係るプリチャージ動作）
図２は、本実施形態に係る液晶表示装置１０における映像信号ＶＳＩＧ、プリチャージ信号ＰＳＩＧ、プリチャージ制御パルスＰＣＧおよびスイッチ制御パルスＳＨＰ１〜ＳＨＰ３のタイミング関係を示すタイミング波形図である。
【００４６】
図２のタイミング波形図から明らかなように、プリチャージ信号ＰＳＩＧとして、データライン３２−１，３２−２，３２−３に対してコモン電位ＶＶＣよりも高いＨｉｇｈ側映像信号ＶＳＩＧを書き込むＨｉｇｈ側フィールド期間では中間調電位Ｖｐｇｈだけが与えられ、コモン電位ＶＶＣよりも低いＬｏｗ側映像信号ＶＳＩＧを書き込むＬｏｗ側フィールド期間では、縦クロストークの対策のための電圧Ｖｐｂと中間調電位Ｖｐｇｌが１Ｈ周期で与えられる。
【００４７】
フィールドが切り替わるときの中間調電位Ｖｐｇｈから電圧Ｖｐｂへの切り替えと、中間調電位Ｖｐｇｌから中間調電位Ｖｐｇｈへの切り替えは、垂直ブランキング期間において行われる。
【００４８】
そして、水平ブランキング期間において、プリチャージ制御パルスＰＣＧが論理正（論理“１”）となることで、プリチャージスイッチＰＳＷ１〜ＰＳＷ３がオン状態となってプリチャージ信号ＰＳＩＧをデータライン３２−１，３２−２，３２−３に供給する。
【００４９】
このとき、Ｈｉｇｈ側フィールド期間では、中間調電位Ｖｐｇｈだけがデータライン３２−１，３２−２，３２−３に一括して供給される。その後、水平駆動回路５０において、水平有効期間にシフトレジスタ５１から論理正のスイッチ制御パルスＳＨＰ１，ＳＨＰ２，ＳＨＰ３が順次出力されることで、水平スイッチＨＳＷ１，ＨＳＷ２，ＨＳＷ３が順にオン状態となってコモン電位ＶＶＣよりも高い映像信号ＶＳＩＧをデータライン３２−１，３２−２，３２−３に供給する。
【００５０】
一方、Ｌｏｗ側フィールド期間では、プリチャージスイッチＰＳＷ１〜ＰＳＷ３がオン状態となることで、先ず縦クロストークの対策のための電圧Ｖｐｂが、次いで中間調電位Ｖｐｇｌがデータライン３２−１，３２−２，３２−３に一括して供給される。その後、水平駆動回路５０において、水平有効期間に水平スイッチＨＳＷ１，ＨＳＷ２，ＨＳＷ３が順にオン状態となってコモン電位ＶＶＣよりも低い映像信号ＶＳＩＧをデータライン３２−１，３２−２，３２−３に供給する。
【００５１】
（プリチャージ動作を行わない場合）
ここで、本実施形態の作用効果の説明に先立って、プリチャージ動作を行わない場合について説明する。
【００５２】
図３は、プリチャージ動作を行わない場合の図１０のデータラインＡ，Ｂの各電位と画素Ａ１，Ａ２，Ｂ１，Ｂ２の各電位を示す波形図である。
【００５３】
画素Ａ１と画素Ｂ１、画素Ａ２と画素Ｂ２の画素電位を比較すると、灰色に塗った画素トランジスタのリーク電流が増加する期間に差が生じている。データラインＡ，Ｂの各電位でリーク電流の大きさが異なるので、そのリーク量を色の濃さで表現している（濃い程リーク電流が大きい）。
【００５４】
黒色のウインドウパターンを表示しているデータラインＢはより低い電位まで達し、画素のリーク量が増える。結果として、図１０に示すような縦クロストークという画質不具合が発生する。
【００５５】
先にも述べたように、画素トランジスタ２１のリークに起因して発生する縦クロストークの不具合を解消するために、プリチャージの技術が用いられている。このプリチャージ技術を用いた従来技術（特許文献１）の場合の図１０のデータラインＡ，Ｂの各電位と画素Ａ１，Ａ２，Ｂ１，Ｂ２の各電位については図１２に示している。
【００５６】
（本実施形態の作用効果）
図４は、本実施形態に係るプリチャージ動作を行った場合の図１０のデータラインＡ，Ｂの各電位と画素Ａ１，Ａ２，Ｂ１，Ｂ２の各電位を示す波形図である。
【００５７】
図４の波形図から明らかなように、コモン電位ＶＶＣよりも低い映像信号ＶＳＩＧを書き込むＬｏｗ側フィールド期間のみ、縦クロストークの対策のための電圧Ｖｐｂのプリチャージ信号ＰＳＩＧをデータライン３２−１，３２−２，３２−３へ供給することで、コモン電位ＶＶＣよりも高い映像信号ＶＳＩＧを書き込むＨｉｇｈ側フィールド期間に比べて画素トランジスタ２１のリーク量が多いＬｏｗ側フィールド期間において、画素Ａ１と画素Ｂ１間、画素Ａ２と画素Ｂ２間のリーク量が均一化されるために、縦クロストークの発生を抑制できることがわかる。
【００５８】
画素トランジスタ２１のリークが顕著となるデータライン３２−１、３２−２、３２−３よりも高い電位を保持している場合、Ｈｉｇｈ側フィールド期間においては、先述したように、データライン３２−１，３２−２，３２−３に対してコモン電位ＶＶＣよりも高い映像信号ＶＳＩＧを書き込むことから、画素トランジスタ２１のドレイン−ソース間の電位差が小さく、Ｌｏｗ側フィールド期間でのリーク量よりもリーク量が非常に小さいために、縦クロストークの対策のための電圧Ｖｐｂのプリチャージ信号ＰＳＩＧをデータライン３２−１，３２−２，３２−３に供給しなくても画質的に問題ない。
【００５９】
逆に、Ｈｉｇｈ側フィールド期間では、縦クロストークの対策のための電圧Ｖｐｂのプリチャージ信号ＰＳＩＧをデータライン３２−１，３２−２，３２−３へ供給しないことにより、データライン３２−１，３２−２，３２−３におけるＶｐｂ→Ｖｐｇｈという例えば８Ｖ程度の大きな電位変化がなくなり、データライン３２−１，３２−２，３２−３の充電に要する時間が短くて済むために、プリチャージ動作を行うプリチャージ期間を短縮できる。
【００６０】
しかも、データライン３２−１，３２−２，３２−３の電位変化としては、Ｌｏｗ側フィールド期間でのＶｐｂ→Ｖｐｇｌという例えば３Ｖ程度の電位変化で済むために、プリチャージ信号ＰＳＩＧを書き込むプリチャージ回路６０の負担を軽減できる。
【００６１】
特に、本実施形態に係る液晶表示装置１０においては、全データライン３２−１，３２−２，３２−３を一括してプリチャージする一括プリチャージ方式を採用しており、一般的に、一括プリチャージ方式はｎＦオーダーの負荷となり、プリチャージ回路６０の負担が大きいが、電位差の大きい電圧Ｖｐｂから中間調電位Ｖｐｇｈへの変化がなくなったことにより、充電時間の短縮が可能となり、
併せて、駆動システムの消費電力の低減にも貢献できる。
【００６２】
そして、プリチャージ期間を短縮できることにより、水平ブランキング期間が短縮されてもプリチャージ動作を実行できるために、高解像度化、高リフレッシュ・レート化の実現の一助となる。また、大画面化に伴い配線容量が増加し、プリチャージ期間をより必要とする問題に対する一解決策ともなる。
【００６３】
［変形例］
上記実施形態では、全データラインを一括してプリチャージする一括プリチャージ方式を採用し、水平ブランキング期間にプリチャージ信号ＰＳＩＧを書き込む場合を例に挙げて説明したが、本発明は一括プリチャージ方式への適用に限られるものではなく、データラインを順番にプリチャージする点順次プリチャージ方式への適用も可能である。点順次プリチャージ方式の場合には、データラインへの映像信号ＶＳＩＧの書き込み期間以外の期間にプリチャージ信号ＰＳＩＧを書き込むようにすればよい。
【００６４】
また、上記実施形態では、水平駆動回路５０が、垂直駆動回路４０による選択行の各画素２０に対して１列目から順番に映像信号ＶＳＩＧを書き込む点順次駆動方式の場合を例に挙げて説明したが、本発明は点順次駆動方式の水平駆動回路５０への適用に限られるものではなく、選択行の各画素２０に対して一斉に映像信号ＶＳＩＧを書き込む線順次駆動方式の水平駆動回路や、セレクタ駆動方式（時分割駆動方式）の水平駆動回路などに対しても適用可能である。
【００６５】
ここで、セレクタ駆動方式とは、例えば液晶パネルの外部から映像信号ＶＳＩＧを供給するドライバＩＣ（図示せず）の１つの出力に対して、液晶パネル上のデータラインを、複数本を単位（組）として割り当て、この複数本のデータラインをアナログスイッチによって時分割にて順次選択する一方、その選択したデータラインに対してドライバＩＣの各出力毎に時系列で出力される映像信号を時分割で振り分けて供給することによって各データラインを駆動する方式である。
【００６６】
また、上記実施形態では、液晶表示装置に適用した場合を例に挙げて説明したが、本発明は液晶表示装置への適用に限られものではなく、有機ＥＬ(Electro Luminescence)表示装置など、映像信号ＶＳＩＧのデータラインへの書き込みに先立って所定レベルのプリチャージ信号ＰＳＩＧを書き込むプリチャージ技術を用いて表示装置全般に対して適用可能である。
【００６７】
［適用例］
以上説明した本発明による表示装置は、一例として、図５〜図９に示す様々な電子機器、例えば、デジタルカメラ、ノート型パーソナルコンピュータ、携帯電話等の携帯端末装置、ビデオカメラなど、電子機器に入力された映像信号、若しくは、電子機器内で生成した映像信号を、画像若しくは映像として表示するあらゆる分野の電子機器の表示装置に適用することが可能である。
【００６８】
このように、あらゆる分野の電子機器の表示装置として本発明による表示装置を用いることにより、先述した実施形態の説明から明らかなように、本発明による表示装置は、プリチャージ期間を短縮できるために、各種の電子機器において、当該表示装置を用いる映像表示部の高解像度化、高リフレッシュ・レート化を実現できる。
【００６９】
なお、本発明による表示装置は、封止された構成のモジュール形状のものをも含む。例えば、画素アレイ部３０を囲むようにシーリング部（図示せず）が設けられ、このシーリング部を接着剤として透明なガラス等の対向部に貼り付けられて形成された表示モジュールが該当する。この透明な対向部には、カラーフィルタ、保護膜等、更には、上記した遮光膜が設けられてもよい。尚、表示モジュールには、外部から画素アレイ部への信号等を入出力するための回路部やＦＰＣ（フレキシブルプリントサーキット）等が設けられていてもよい。
【００７０】
以下に、本発明が適用される電子機器の具体例について説明する。
【００７１】
図５は、本発明が適用されるテレビジョンセットの外観を示す斜視図である。本適用例に係るテレビテレビジョンセットは、フロントパネル１０２やフィルターガラス１０３等から構成される映像表示画面部１０１を含み、その映像表示画面部１０１として本発明による表示装置を用いることにより作成される。
【００７２】
図６は、本発明が適用されるデジタルカメラの外観を示す斜視図であり、（Ａ）は表側から見た斜視図、（Ｂ）は裏側から見た斜視図である。本適用例に係るデジタルカメラは、フラッシュ用の発光部１１１、表示部１１２、メニュースイッチ１１３、シャッターボタン１１４等を含み、その表示部１１２として本発明による表示装置を用いることにより作製される。
【００７３】
図７は、本発明が適用されるノート型パーソナルコンピュータの外観を示す斜視図である。本適用例に係るノート型パーソナルコンピュータは、本体１２１に、文字等を入力するとき操作されるキーボード１２２、画像を表示する表示部１２３等を含み、その表示部１２３として本発明による表示装置を用いることにより作製される。
【００７４】
図８は、本発明が適用されるビデオカメラの外観を示す斜視図である。本適用例に係るビデオカメラは、本体部１３１、前方を向いた側面に被写体撮影用のレンズ１３２、撮影時のスタート／ストップスイッチ１３３、表示部１３４等を含み、その表示部１３４として本発明による表示装置を用いることにより作製される。
【００７５】
図９は、本発明が適用される携帯端末装置、例えば携帯電話機を示す外観図であり、（Ａ）は開いた状態での正面図、（Ｂ）はその側面図、（Ｃ）は閉じた状態での正面図、（Ｄ）は左側面図、（Ｅ）は右側面図、（Ｆ）は上面図、（Ｇ）は下面図である。本適用例に係る携帯電話機は、上側筐体１４１、下側筐体１４２、連結部（ここではヒンジ部）１４３、ディスプレイ１４４、サブディスプレイ１４５、ピクチャーライト１４６、カメラ１４７等を含み、そのディスプレイ１４４やサブディスプレイ１４５として本発明による表示装置を用いることにより作製される。
【図面の簡単な説明】
【００７６】
【図１】本発明の一実施形態に係るフィールド反転駆動方式のアクティブマトリクス型液晶表示装置を示すシステム構成図である。
【図２】本実施形態に係る液晶表示装置における映像信号ＶＳＩＧ、プリチャージ信号ＰＳＩＧ、プリチャージ制御パルスＰＣＧおよびスイッチ制御パルスＳＨＰ１〜ＳＨＰ３のタイミング関係を示すタイミング波形図である。
【図３】プリチャージ動作を行わない場合の図１０のデータラインＡ，Ｂの各電位と画素Ａ１，Ａ２，Ｂ１，Ｂ２の各電位を示す波形図である。
【図４】本実施形態に係るプリチャージ動作を行った場合の図１０のデータラインＡ，Ｂの各電位と画素Ａ１，Ａ２，Ｂ１，Ｂ２の各電位を示す波形図である。
【図５】本発明が適用されるテレビジョンセットの外観を示す斜視図である。
【図６】本発明が適用されるデジタルカメラの外観を示す斜視図であり、（Ａ）は表側から見た斜視図、（Ｂ）は裏側から見た斜視図である。
【図７】本発明が適用されるノート型パーソナルコンピュータの外観を示す斜視図である。
【図８】本発明が適用されるビデオカメラの外観を示す斜視図である。
【図９】本発明が適用される携帯電話機を示す外観図であり、（Ａ）は開いた状態での正面図、（Ｂ）はその側面図、（Ｃ）は閉じた状態での正面図、（Ｄ）は左側面図、（Ｅ）は右側面図、（Ｆ）は上面図、（Ｇ）は下面図である。
【図１０】縦クロストークの説明図である。
【図１１】従来技術における映像信号ＶＳＩＧ、プリチャージ信号ＰＳＩＧ、プリチャージ制御パルスＰＣＧおよびスイッチ制御パルスＳＨＰ１〜ＳＨＰ３のタイミング関係を示すタイミング波形図である。
【図１２】従来技術に係るプリチャージ動作を行った場合の図１０のデータラインＡ，Ｂの各電位と画素Ａ１，Ａ２，Ｂ１，Ｂ２の各電位を示す波形図である。
【符号の説明】
【００７７】
１０…液晶表示装置、２０…画素、２１…画素トランジスタ、２２…液晶容量、２３…保持容量、３０…画素アレイ部、３１−１，３１−２，３１−３…ゲートライン、３２−１，３２−２，３２−３…データライン、４０…垂直駆動回路、５０…水平駆動回路、５１…シフトレジスタ、５２…映像信号供給ライン、６０…プリチャージ回路、ＨＳＷ１，ＨＳＷ２，ＨＳＷ３…水平スイッチ、ＰＳＷ１，ＰＳＷ２，ＰＳＷ３…プリチャージスイッチ
【図１】
2009092787.tif 000003
【図２】
2009092787.tif 000004
【図３】
2009092787.tif 000005
【図４】
2009092787.tif 000006
【図５】
2009092787.tif 000007
【図６】
2009092787.tif 000008
【図７】
2009092787.tif 000009
【図８】
2009092787.tif 000010
【図９】
2009092787.tif 000011
【図１０】
2009092787.tif 000012
【図１１】
2009092787.tif 000013
【図１２】
2009092787.tif 000014